(57)【要約】【課題】  隣接する中空スペーサ間からの湿気の侵入を遮蔽して、ガラスパネルの間隙部内における結露の発生を抑制するガラスパネル接合構造とそれに使用するスペーサキー。【解決手段】  一対の板ガラス１，２を間隙部Ｖを介して対面配置し、両板ガラス１，２の周縁部に沿って中空スペーサ３を配置し、スペーサキー４により隣接する中空スペーサ３どうしを連結し、中空スペーサ３と両板ガラス１，２の間に一次シール材を充填し、一次シール材と中空スペーサ３を外側から覆う状態で二次シール材７を充填して気密に接合してあるガラスパネル接合構造で、間隙部Ｖ内への湿気の侵入を遮蔽する遮蔽部材１０が、隣接する中空スペーサ３間を覆う状態、あるいは、弾性変形により閉鎖する状態に配設されているガラスパネル接合構造と、それに使用するべく、遮蔽部材１０を一体的に備えているスペーサキー。【選択図】        図４
2005239448.tif 000002
【特許請求の範囲】
【請求項１】
一対の板ガラスをその厚み方向に間隙部を介して互いに対面配置し、その両板ガラスの周縁部に沿って両板ガラス間に中空スペーサを配置するとともに、前記中空スペーサに内嵌自在なスペーサキーにより隣接する中空スペーサどうしを連結し、前記中空スペーサと両板ガラスの間に一次シール材を充填し、かつ、その一次シール材と中空スペーサを外側から覆う状態で前記両板ガラスの間に二次シール材を充填して両板ガラスを気密に接合してあるガラスパネル接合構造であって、
前記間隙部内への湿気の侵入を遮蔽する遮蔽部材が、前記隣接する中空スペーサ間を覆う状態に配設されているガラスパネル接合構造。
【請求項２】
前記遮蔽部材が、前記隣接する中空スペーサ間に跨って中空スペーサの外側に配設されている請求項１に記載のガラスパネル接合構造。
【請求項３】
前記遮蔽部材が、前記隣接する中空スペーサの前記二次シール材側と前記間隙部側とに配設されている請求項１または２に記載のガラスパネル接合構造。
【請求項４】
一対の板ガラスをその厚み方向に間隙部を介して互いに対面配置し、その両板ガラスの周縁部に沿って両板ガラス間に中空スペーサを配置するとともに、前記中空スペーサに内嵌自在なスペーサキーにより隣接する中空スペーサどうしを連結し、前記中空スペーサと両板ガラスの間に一次シール材を充填し、かつ、その一次シール材と中空スペーサを外側から覆う状態で前記両板ガラスの間に二次シール材を充填して両板ガラスを気密に接合してあるガラスパネル接合構造であって、
前記間隙部内への湿気の侵入を遮蔽する遮蔽部材が、前記隣接する中空スペーサの当接による弾性変形によって隣接する中空スペーサ間を閉鎖する状態に配設されているガラスパネル接合構造。
【請求項５】
請求項１〜４のいずれか１項に記載のガラスパネル接合構造に使用するスペーサキーであって、
前記スペーサキーが、その両端に前記隣接する中空スペーサに内嵌する内嵌部分をそれぞれ備え、その両内嵌部分の間に前記遮蔽部材を一体的に備えているスペーサキー。
【請求項６】
前記スペーサキーが、互いにほぼ直線状に隣接する中空スペーサどうしを連結するべく、前記両内嵌部分をほぼ直線状に備えているストレートスペーサキーである請求項５に記載のスペーサキー。
【請求項７】
前記スペーサキーが、互いにほぼ直交して隣接する中空スペーサどうしを連結するべく、前記両内嵌部分をほぼ直交状に備えているコーナースペーサキーである請求項５に記載のスペーサキー。
【発明の詳細な説明】
【技術分野】
【０００１】
本発明は、一対の板ガラスをその厚み方向に間隙部を介して互いに対面配置し、その両板ガラスの周縁部に沿って両板ガラス間に中空スペーサを配置するとともに、前記中空スペーサに内嵌自在なスペーサキーにより隣接する中空スペーサどうしを連結し、前記中空スペーサと両板ガラスの間に一次シール材を充填し、かつ、その一次シール材と中空スペーサを外側から覆う状態で前記両板ガラスの間に二次シール材を充填して両板ガラスを気密に接合してあるガラスパネル接合構造と、そのガラスパネル接合構造に使用するスペーサキーに関する。
【背景技術】
【０００２】
このようなガラスパネルの接合に使用するスペーサキーとしては、従来、隣接する中空スペーサに内嵌する内嵌部分を両端に備え、中空スペーサの端縁が当接するブロックを両内嵌部分の間に備えたものが知られている。
そして、従来では、このようなスペーサキーを使用して隣接する中空スペーサどうしを連結し、その中空スペーサと両板ガラスの間に一次シール材を充填し、さらに、その一次シール材と中空スペーサを外側から覆う状態で両板ガラスの間に二次シール材を充填して両板ガラスを気密に接合していた（例えば、特許文献１参照）。
【０００３】
【特許文献１】実開昭５９−９４５８２号公報（第１図〜第３図）
【発明の開示】
【発明が解決しようとする課題】
【０００４】
しかし、上述した従来技術では、製作誤差などに起因して、中空スペーサの端縁が、その全周にわたってスペーサキーの当接用ブロックに確実に当接するとは限らず、場合によっては、中空スペーサ端縁とブロックの間に小さな隙間が生じ、外部の湿気が、時間の経過に伴ってその隙間を通って両板ガラス間の間隙部に徐々に侵入する可能性がある。
詳述すると、中空スペーサと両板ガラス間は一次シール材により、また、中空スペーサの外側は二次シール材により封止されているが、通常、一次シール材としては、接着性能よりもシール性能に優れたポリイソブチレンなどを使用し、二次シール材としては、シール性能よりも接着性能に優れたポリサルファイド・シリコーンなどを使用するため、外部の湿気が、時間の経過に伴って二次シール材と板ガラスの間から侵入し、それが上述した隙間を通って間隙部内に侵入する可能性がある。
このように、隣接する中空スペーサの間から湿気が侵入すると、両板ガラス間の間隙部内で結露が生じ、商品価値を著しく低下することになる。
【０００５】
本発明は、このような従来の問題点に着目したもので、その目的は、隣接する中空スペーサ間からの湿気の侵入を遮蔽して、ガラスパネルの間隙部内における結露の発生を抑制することのできるガラスパネル接合構造とそれに使用するスペーサキーを提供することにある。
【課題を解決するための手段】
【０００６】
本発明の第１の特徴構成は、一対の板ガラスをその厚み方向に間隙部を介して互いに対面配置し、その両板ガラスの周縁部に沿って両板ガラス間に中空スペーサを配置するとともに、前記中空スペーサに内嵌自在なスペーサキーにより隣接する中空スペーサどうしを連結し、前記中空スペーサと両板ガラスの間に一次シール材を充填し、かつ、その一次シール材と中空スペーサを外側から覆う状態で前記両板ガラスの間に二次シール材を充填して両板ガラスを気密に接合してあるガラスパネル接合構造であって、前記間隙部内への湿気の侵入を遮蔽する遮蔽部材が、前記隣接する中空スペーサ間を覆う状態に配設されているところにある。
【０００７】
本発明の第１の特徴構成によれば、一対の板ガラスの間隙部内への湿気の侵入を遮蔽する遮蔽部材が、隣接する中空スペーサ間を覆う状態に配設されているので、外部の湿気が、時間の経過に伴って両板ガラスと二次シール材の間から徐々に侵入してきても、その湿気は遮蔽部材により遮蔽されて、間隙部内への侵入が抑制される。
したがって、両板ガラス間の間隙部内における結露の発生が抑制され、商品価値の低下を招くことなく長年月にわたる使用が可能となる。
【０００８】
本発明の第２の特徴構成は、上述したガラスパネル接合構造において、前記遮蔽部材が、前記隣接する中空スペーサ間に跨って中空スペーサの外側に配設されているところにある。
【０００９】
本発明の第２の特徴構成によれば、湿気の侵入を遮蔽する遮蔽部材が、隣接する中空スペーサ間に跨って中空スペーサの外側に配設されているので、隣接する中空スペーサの外側において、両中空スペーサ間からの湿気の侵入を確実に遮蔽して、両板ガラス間の間隙部内における結露の発生を一層確実に抑制することができる。
【００１０】
本発明の第３の特徴構成は、上述したガラスパネル接合構造において、前記遮蔽部材が、前記隣接する中空スペーサの前記二次シール材側と前記間隙部側とに配設されているところにある。
【００１１】
本発明の第３の特徴構成によれば、湿気の侵入を遮蔽する遮蔽部材が、隣接する中空スペーサの二次シール材側と間隙部側とに配設されているので、隣接する中空スペーサにおいて二次シール材側と間隙部側との両側で湿気の侵入をより一層確実に遮蔽して、両板ガラス間の間隙部内における結露の発生をより一層確実に抑制することができる。
【００１２】
本発明の第４の特徴構成は、一対の板ガラスをその厚み方向に間隙部を介して互いに対面配置し、その両板ガラスの周縁部に沿って両板ガラス間に中空スペーサを配置するとともに、前記中空スペーサに内嵌自在なスペーサキーにより隣接する中空スペーサどうしを連結し、前記中空スペーサと両板ガラスの間に一次シール材を充填し、かつ、その一次シール材と中空スペーサを外側から覆う状態で前記両板ガラスの間に二次シール材を充填して両板ガラスを気密に接合してあるガラスパネル接合構造であって、前記間隙部内への湿気の侵入を遮蔽する遮蔽部材が、前記隣接する中空スペーサの当接による弾性変形によって隣接する中空スペーサ間を閉鎖する状態に配設されているところにある。
【００１３】
本発明の第４の特徴構成によれば、一対の板ガラスの間隙部内への湿気の侵入を遮蔽する遮蔽部材が、隣接する中空スペーサの当接による弾性変形によって隣接する中空スペーサ間を閉鎖する状態に配設されているので、上記第１の特徴構成において述べたように、外部の湿気が、時間の経過に伴って両板ガラスと二次シール材の間から徐々に侵入してきても、その湿気は弾性変形した遮蔽部材により間隙部内への侵入が抑制され、その結果、両板ガラス間の間隙部内における結露の発生が抑制されて、商品価値の低下を招くことなく長年月にわたる使用が可能となる。
【００１４】
本発明の第５の特徴構成は、上述した各ガラスパネル接合構造に使用するスペーサキーであって、前記スペーサキーが、その両端に前記隣接する中空スペーサに内嵌する内嵌部分をそれぞれ備え、その両内嵌部分の間に前記遮蔽部材を一体的に備えているところにある。
【００１５】
本発明の第５の特徴構成によれば、ガラスパネル接合構造に使用するスペーサキーが、その両端に隣接する中空スペーサに内嵌する内嵌部分をそれぞれ備え、その両内嵌部分の間に遮蔽部材を一体的に備えているので、隣接する中空スペーサに内嵌部分を内嵌して両中空スペーサを連結すれば、遮蔽部材が所定の位置に確実に位置して、上述したように、両板ガラス間からの湿気の侵入を遮蔽して、間隙部内における結露の発生を抑制することができる。
【００１６】
本発明の第６の特徴構成は、上述したスペーサキーにおいて、前記スペーサキーが、互いにほぼ直線状に隣接する中空スペーサどうしを連結するべく、前記両内嵌部分をほぼ直線状に備えているストレートスペーサキーである。
【００１７】
本発明の第６の特徴構成によれば、スペーサキーが、互いにほぼ直線状に隣接する中空スペーサどうしを連結するべく、両内嵌部分をほぼ直線状に備えているストレートスペーサキーであるから、このスペーサキーを使用して隣接する中空スペーサを連結すれば、ほぼ直線状に連結された両中空スペーサに対して、遮蔽部材が所定の位置に確実に位置して、両板ガラス間から間隙部への湿気の侵入を抑制することができる。
【００１８】
本発明の第７の特徴構成は、上述したスペーサキーにおいて、前記スペーサキーが、互いにほぼ直交して隣接する中空スペーサどうしを連結するべく、前記両内嵌部分をほぼ直交状に備えているコーナースペーサキーである。
【００１９】
本発明の第７の特徴構成によれば、スペーサキーが、互いにほぼ直交して隣接する中空スペーサどうしを連結するべく、両内嵌部分をほぼ直交状に備えているコーナースペーサキーであるから、このスペーサキーを使用して隣接する中空スペーサを連結すれば、ほぼ直交状に連結された両中空スペーサに対して、遮蔽部材が所定の位置に確実に位置して、両板ガラス間から間隙部への湿気の侵入を抑制することができる。
【発明を実施するための最良の形態】
【００２０】
本発明によるガラスパネル接合構造とそれに使用するスペーサキーの実施の態様を図面に基づいて説明する。
このようなガラスパネルとしては、例えば、複層ガラスがあり、複層ガラスＰは、図１に示すように、一対の板ガラス１，２が、両板ガラス１，２の厚み方向に間隙部Ｖを有する状態で互いに対面するように配置され、両板ガラス１，２の周縁部が、複数本のアルミ製の中空スペーサ３、隣接する中空スペーサ３どうしを互いに接続するスペーサキー４，５、一次シール材６（図７参照）、二次シール材７などにより接合され、両板ガラス１，２の間隙部Ｖに乾燥空気が封入されて気密に封止されて構成されている。
【００２１】
アルミ製の中空スペーサ３は、図２および図３に示すように、内部に中空部３ａを備えた筒状に形成され、間隙部Ｖ側の面には、多数の開口部３ｂが形成されている。
スペーサキー４，５は、図２および図３に示すように、隣接する中空スペーサ３どうしをほぼ直線状に連結するストレートスペーサキー４と、図５に示すように、隣接する中空スペーサ３どうしをほぼ直交する状態に連結するコーナースペーサキー５との２種類がある。
これらスペーサキー４，５は、例えば、気温３７．８℃、湿度９０％の条件下で、透湿抵抗が５（ｇ／ｍｍ／ｍ2・ｄａｙ）以下のもの、特に、２．５（ｇ／ｍｍ／ｍ2・ｄａｙ）以下のものが好ましく、具体的には、ナイロン、ＰＰ（ポリプロピレン）、ＰＰとＰＩＢ（ポリイソブチレン）の共重合体、あるいは、ＰＰとＥＰＤＭの共重合体などで形成されている。
【００２２】
ストレートスペーサキー４の両端には、隣接する中空スペーサ３の中空部３ａに内嵌する内嵌部分８がそれぞれ設けられ、各内嵌部分８には、弾性変形可能な一対の変形部分８ａが設けられていて、内嵌部分８を中空スペーサ３の中空部３ａに内嵌した際、変形部分８ａの弾性変形によって、内嵌部分８が中空スペーサ３の中空部３ａ内壁に当接して弾性的に保持されるように構成されている。
そして、ストレートスペーサキー４は、両内嵌部分８がほぼ同一直線上に位置するように全体が直線状に形成され、両内嵌部分８の中間である長手方向中央部には、中空スペーサ３の端縁が当接するストレートブロック９が一体的に突設され、そのストレートブロック９の両側から内嵌部分８方向に向けて、薄い肉厚を有する中空スペーサ３の二次シール材７側に位置する遮蔽部材片１０ａと間隙部Ｖ側に位置する遮蔽部材片１０ｂとの一対の遮蔽部材片１０ａ，１０ｂからなる遮蔽部材１０が一体的に突設されている。
【００２３】
コーナースペーサキー５の両端にも、ストレートスペーサキー４と同様に、一対の変形部分８ａを有する内嵌部分８がそれぞれ設けられ、コーナースペーサキー５においては、両内嵌部分８がほぼ直交するように全体がＬ字状に折曲されて形成されている。
そして、両内嵌部分８の中間に位置する折曲部には、中空スペーサ３の端縁が当接するコーナーブロック１１が一体的に設けられ、そのコーナーブロック１１の両側から各内嵌部分８方向に向けて、薄い肉厚を有する中空スペーサ３の二次シール材７側に位置する遮蔽部材片１２ａと間隙部Ｖ側に位置する遮蔽部材片１２ｂとの一対の遮蔽部材片１２ａ，１２ｂからなる遮蔽部材１２が一体的に突設されている。
【００２４】
したがって、ストレートスペーサキー４の使用箇所においては、図４に示すように、両端に位置する内嵌部分８が、それぞれ隣接する中空スペーサ３の中空部３ａに内嵌され、図中左側の中空スペーサ３のように、その端縁がストレートブロック９に当接した状態で、あるいは、図中右側の中空スペーサ３のように、製作誤差などに起因して、その端縁がストレートブロック９から若干離れた状態で、両中空スペーサ３間の二次シール材７側と間隙部Ｖ側が、遮蔽部材１０を構成する一対の遮蔽部材片１０ａ，１０ｂによって両スペーサ３間に跨って覆われる。
同様に、コーナースペーサキー５の使用箇所においては、図６に示すように、両端に位置する内嵌部分８が、それぞれ隣接する中空スペーサ３の中空部３ａに内嵌され、両中空スペーサ３の端縁がコーナーブロック１１に当接するか、あるいは、若干離れた状態で、両中空スペーサ３間の二次シール材７側と間隙部Ｖ側が、遮蔽部材１２を構成する一対の遮蔽部材片１２ａ，１２ｂによって両スペーサ３間に跨って覆われる。
【００２５】
そして、乾燥剤Ｄを収納する中空スペーサ３と両板ガラス１，２の間には、図７に示すように、例えば、ポリイソブチレンからなる一次シール材６が充填され、さらに、その一次シール材６と中空スペーサ３を外側から覆う状態で、両板ガラス１，２の間には、例えば、ポリサルファイド・シリコーンからなる二次シール材７が充填されて、両板ガラス１，２が気密に接合されている。
その接合状態において、ストレートスペーサキー４の使用箇所においては、ストレートスペーサキー４の遮蔽部材１０により、また、コーナースペーサキー５の使用箇所においては、コーナースペーサキー５の遮蔽部材１２により、隣接する中空スペーサ３間が遮蔽されて、外部からの間隙部Ｖへの湿気の侵入が遮蔽されるのである。
【００２６】
〔別実施形態〕
（１）先の実施形態では、ストレートスペーサキー４用の遮蔽部材１０としてストレートブロック９の両側から一体的に突設された一対の遮蔽部材片１０ａ，１０ｂを示したが、両遮蔽部材片１０ａ，１０ｂのいずれか一方の遮蔽部材片により遮蔽部材１０を構成することも、また、図８に示すように、中空スペーサ３の二次シール材７側と間隙部Ｖ側を含んで、その周囲を覆う筒状の遮蔽部材片１０ｃにより遮蔽部材１０を構成することもできる。
同様に、コーナースペーサキー５用の遮蔽部材１２に関しても、両遮蔽部材片１２ａ，１２ｂのいずれか一方の遮蔽部材片により遮蔽部材１２を構成することも、また、図９に示すように、中空スペーサ３の二次シール材７側と間隙部Ｖ側を含んで、その周囲を覆う筒状の遮蔽部材片１２ｃにより遮蔽部材１２を構成することもできる。
【００２７】
また、遮蔽部材１０，１２は、必ずしもスペーサキー４，５と同じ材料で一体成型する必要はなく、互いに別体に構成して、スペーサキー４，５に遮蔽部材１０，１２を固着して一体化することもでき、さらには、互いに別体に構成して、例えば、スペーサキー４，５により隣接する中空スペーサ３を連結した後、別体に構成した遮蔽部材１０を所定の位置に位置させ、その後、二次シール材７を充填することもできる。
その一例を示したのが図１０で、ストレートスペーサキー４の場合であれば、ストレートブロック９や内嵌部分８を一体的に有するキー本体と、筒状の遮蔽部材片１０ｃを有する遮蔽部材１０とが別体に構成され、図１０の（イ）、（ロ）に示すように、中空スペーサ３の中空部３ａに内嵌部分８を内嵌した後、図１０の（ハ）に示すように、ストレートブロック９と中空スペーサ３に跨るように遮蔽部材１０を外嵌し、その後、二次シール材７を充填するのである。
【００２８】
（２）先の実施形態では、遮蔽部材１０，１２が隣接する中空スペーサ３間を覆うように構成した例を示したが、遮蔽部材は必ずしも隣接する中空スペーサ３間を覆う必要はなく、その例をストレートスペーサキー４に適用した例を示しているのが図１１である。
図１１に示す遮蔽部材１３は、先の実施形態におけるストレートブロック９を兼用するような構成であるが、このストレートブロック９、換言すると、遮蔽部材１３は、比較的弾性変形し易い柔らかな材料で形成されている。
そして、この別の実施形態では、各中空スペーサ３が若干長めに設定されていて、図１１の（ロ）に示すように、中空スペーサ３が遮蔽部材１３に当接することによって、遮蔽部材１３が積極的に弾性変形して隣接する中空スペーサ３間を閉鎖するように構成されている。
【００２９】
（３）先の実施形態では、ガラスパネルＰの一例として、両板ガラス１，２の間隙部Ｖに乾燥空気を封入した複層ガラスを示したが、両板ガラス１，２の間隙部Ｖに放電ガスを封入したプラズマディスプレイパネルなどにも適用することができる。
【図面の簡単な説明】
【００３０】
【図１】複層ガラスの一部切欠き斜視図
【図２】ストレートスペーサキーと中空スペーサの斜視図
【図３】ストレートスペーサキーと中空スペーサの一部切欠き斜視図
【図４】複層ガラスにおけるストレートスペーサキー部分の断面図
【図５】コーナースペーサキーの斜視図
【図６】複層ガラスにおけるコーナースペーサキー部分の断面図
【図７】複層ガラスにおけるスペーサキー部分の断面図
【図８】別の実施形態によるストレートスペーサキーの斜視図
【図９】別の実施形態によるコーナースペーサキーの斜視図
【図１０】別の実施形態によるストレートスペーサキーの斜視図
【図１１】別の実施形態によるストレートスペーサキーの斜視図と断面図
【符号の説明】
【００３１】
１，２      一対の板ガラス
３          中空スペーサ
４          ストレートスペーサキー
５          コーナースペーサキー
６          一次シール材
７          二次シール材
８          スペーサキーの内嵌部分
１０，１３  ストレートスペーサキーの遮蔽部材
１２        コーナースペーサキーの遮蔽部材
Ｐ          ガラスパネル
Ｖ          間隙部
【図１】
2005239448.tif 000003
【図２】
2005239448.tif 000004
【図３】
2005239448.tif 000005
【図４】
2005239448.tif 000006
【図５】
2005239448.tif 000007
【図６】
2005239448.tif 000008
【図７】
2005239448.tif 000009
【図８】
2005239448.tif 000010
【図９】
2005239448.tif 000011
【図１０】
2005239448.tif 000012
【図１１】
2005239448.tif 000013